(57)【要約】【課題】バッテリーの状態について短い周期の測定結果を記録するべき所定の条件を満たす場合において、記憶容量の増大を防止しつつ、バッテリーの状態のデータの測定結果を所定の短い周期で記録することが可能なバッテリー充放電試験機を提供する。【解決手段】計測部と、制御部と、第１周期ごとの特性値を第１メモリーに記録する第１記録部と、前記第１周期よりも短い第２周期ごとの特性値を第２メモリーに記録する第２記録部と、所定の第１条件を満たすことを認識する認識部とを備える。第２記録部は、第１条件を満たすことを認識部が認識した後は第２周期を短くして、当該短くされた第２周期ごとの特性値を第２メモリーに記録するとともに、当該第１条件を満たすことを当該認識部が認識する前の第１所定期間の当該特性値と、当該第１条件を満たすことを当該認識部が認識した後の第２所定期間の当該特性値とを少なくとも記録する。【選択図】図１
2020085687.tif 000002
【特許請求の範囲】
【請求項１】
被測定バッテリーの特性を表す特性値を計測する計測部と、
前記被測定バッテリーの充放電を制御する制御部と、
第１周期ごとの前記特性値を第１メモリーに記録する第１記録部と、
前記第１周期よりも短い第２周期ごとの前記特性値を第２メモリーに記録する第２記録部と、
所定の第１条件を満たすことを認識する認識部と、
を備え、
前記第２記録部は、前記第１条件を満たすことを前記認識部が認識した後は前記第２周期を短くして、当該短くされた第２周期ごとの前記特性値を前記第２メモリーに記録するように構成されるとともに、当該第１条件を満たすことを当該認識部が認識する前の第１所定期間の当該特性値と、当該第１条件を満たすことを当該認識部が認識した後の第２所定期間の当該特性値とを少なくとも記録するように構成されていることを特徴とするバッテリー充放電試験機。
【請求項２】
請求項１に記載のバッテリー充放電試験機において、
前記第２周期を短くするべきことを示す信号を受信する受信部を備え、
前記認識部は、前記信号を受信部が受信した場合に、前記第１条件を満たすものと認識するように構成されていることを特徴とするバッテリー充放電試験機。
【請求項３】
請求項１又は２に記載のバッテリー充放電試験機において、
前記認識部は、所定の第２条件を満たすことを認識するように構成され、
前記第２記録部は、前記第２周期を短くした後に、前記第２条件を満たすことを前記認識部が認識した後は当該第２周期を長くして、当該長くされた第２周期ごとの当該特性値を第２メモリーに記録するように構成されていることを特徴とするバッテリー充放電試験機。
【請求項４】
バッテリー充放電試験機が実行するバッテリー充放電試験方法であって、
被測定バッテリーの特性を表す特性値を計測する計測処理と、
前記被測定バッテリーの充放電を制御する制御処理と、
第１周期ごとの前記特性値を第１メモリーに記録する第１記録処理と、
前記第１周期よりも短い第２周期ごとの前記特性値を第２メモリーに記録する第２記録処理と、
所定の第１条件を満たすことを認識する認識処理とを含み、
前記第２記録処理は、前記第１条件を満たすことが認識された後は前記第２周期を短くして、当該短くされた第２周期ごとの前記特性値を前記第２メモリーに記録する処理であるとともに、当該第１条件を満たすことが認識される前の第１所定期間の当該特性値と、当該第１条件を満たすことが認識された後の第２所定期間の当該特性値とを少なくとも記録する処理であることを特徴とするバッテリー充放電試験方法。
【発明の詳細な説明】
【技術分野】
【０００１】
本発明は、バッテリー充放電試験機に関する。
【背景技術】
【０００２】
バッテリーの充放電試験における異常等の発生前後のデータの測定結果を所定の間隔で記録することが可能な装置が知られている（特許文献１参照）。
【０００３】
特許文献１の装置によれば一定の間隔で測定したバッテリーの状態情報が予め設定された閾値を超えない場合には、第一メモリーに最も古いデータに対して状態情報が順次上書きしてループ記録され、状態情報が予め設定された閾値を超えた場合には、第二メモリーに状態情報が順次記録される。
【先行技術文献】
【特許文献】
【０００４】
【特許文献１】特開２０１２−２６４０号公報
【発明の概要】
【発明が解決しようとする課題】
【０００５】
たとえばバッテリーへの過充電による発火試験などの、バッテリーに意図的に異常を発生させる試験を行った際には、当該異常を発生させた直前から発生後の期間においては、当該バッテリーの状態が急激に変化する。そのため、当該異常を発生させた直前から発生後の期間においては、バッテリーの状態について短い周期の測定結果を記録することが求められる。
【０００６】
一方で、当該周期を短くすればするほど、測定結果の記録を行う時間単位に必要とされる記憶容量が増大してしまい、経済的ではない。
【０００７】
しかしながら、特許文献１の装置は、単に異常等の発生前後のバッテリーの状態のデータの測定結果を所定の間隔で記録できるにとどまり、当該測定結果を記録する記憶容量の増大を防止することまでは考慮されていない。
【０００８】
そのため、特許文献１のシステムでは、バッテリーの状態について短い周期の測定結果を記録することが求められる場合において、バッテリーの状態のデータの測定結果を記録する記憶容量が増大してしまう課題がある。
【０００９】
本発明の目的は、かかる従来技術の課題に鑑み、バッテリーの状態について短い周期の測定結果を記録するべき所定の条件を満たす場合において、記憶容量の増大を防止しつつ、バッテリーの状態のデータの測定結果を所定の短い周期で記録することが可能なバッテリー充放電試験機を提供することにある。
【課題を解決するための手段】
【００１０】
本発明によるバッテリー充放電試験機は、
被測定バッテリーの特性を表す特性値を計測する計測部と、
前記被測定バッテリーの充放電を制御する制御部と、
第１周期ごとの前記特性値を第１メモリーに記録する第１記録部と、
前記第１周期よりも短い第２周期ごとの前記特性値を第２メモリーに記録する第２記録部と、
所定の第１条件を満たすことを認識する認識部と、
を備え、
前記第２記録部は、前記第１条件を満たすことを前記認識部が認識した後は前記第２周期を短くして、当該短くされた第２周期ごとの前記特性値を前記第２メモリーに記録するように構成されるとともに、当該第１条件を満たすことを当該認識部が認識する前の第１所定期間の当該特性値と、当該第１条件を満たすことを当該認識部が認識した後の第２所定期間の当該特性値とを少なくとも記録するように構成されていることを特徴とする。
【００１１】
本発明によれば、計測部により被測定バッテリーの特性を表す特性値が計測され、制御部により被測定バッテリーの充放電が制御される。そして、第１記録部により第１周期ごとの当該特性値が第１メモリーに記録され、第２記録部により第１周期よりも短い第２周期ごとの特性値が第２メモリーに記録される。
【００１２】
また、認識部により所定の第１条件を満たすことが認識された後は、第２記録部により、第２周期が短くされて、当該短くされた第２周期ごとの当該特性値が第２メモリーに記録されるとともに、第１条件を満たすことが認識される前の第１所定期間の当該特性値と、第１条件を満たすことが認識された後の第２所定期間の特性値が第２メモリーに少なくとも記録される。
【００１３】
そのため、バッテリーの状態について短い周期の測定結果を記録するべき所定の条件を満たす場合において、記憶容量の増大が防止されるとともに、当該所定の条件を満たしたタイミングの前後におけるバッテリーの状態のデータの測定結果を所定の短い周期で記録することが可能である。
【００１４】
このように本発明によれば、バッテリーの状態について短い周期の測定結果を記録するべき所定の条件を満たす場合において、記憶容量の増大を防止しつつ、バッテリーの状態のデータの測定結果を所定の短い周期で記録することができる。
【００１５】
本発明によるバッテリー充放電試験機において、
前記第２周期を短くするべきことを示す信号を受信する受信部を備え、
前記認識部は、前記信号を受信部が受信した場合に、前記第１条件を満たすものと認識するように構成されていることが好ましい。
【００１６】
バッテリーの充放電試験を行っている際には、例えば操作者の操作に基づいて任意のタイミングで短い周期ごとの特性値の記録を行わせたい場合がある。
【００１７】
本発明によれば、受信部により第２周期を短くするべきことを示す信号が受信された場合には、第１条件を満たすものと認識部により認識される。
【００１８】
これにより、任意のタイミングで短い周期ごとの特性値の記録を行うことができる。
【００１９】
このように本発明によれば、バッテリーの状態について短い周期の測定結果を記録するべき任意のタイミングにおいて、記憶容量の増大を防止しつつ、バッテリーの状態のデータの測定結果を所定の短い周期で記録することが可能なバッテリー充放電試験機を提供することができる。
【００２０】
本発明によるバッテリー充放電試験機において、
前記認識部は、所定の第２条件を満たすことを認識するように構成され、
前記第２記録部は、前記第２周期を短くした後に、前記第２条件を満たすことを前記認識部が認識した後は当該第２周期を長くして、当該長くされた第２周期ごとの当該特性値を第２メモリーに記録するように構成されていることが好ましい。
【００２１】
第２周期を短くした後に、例えば第２周期を短くするべき条件を満たさなくなった場合は、当該第２周期を長くすることにより、記憶容量を有効に活用することができる。
【００２２】
本発明によれば、第２周期が短くされた後に、認識部により所定の第２条件を満たすことが認識された後は、第２記録部により第２周期が長くされて、当該長くされた第２周期ごとの特性値が第２メモリーに記録される。
【００２３】
これにより、記憶容量を有効に活用してバッテリーの状態のデータの測定結果を記憶することができる。
【００２４】
このように本発明によれば、記憶容量を有効に活用して、バッテリーの状態のデータの測定結果を所定の短い周期で記録することが可能なバッテリー充放電試験機を提供することができる。
【図面の簡単な説明】
【００２５】
【図１】バッテリー充放電試験機の全体構成を示すブロック図。
【図２Ａ】バッテリー充放電試験機が処理に用いる情報を示す表。
【図２Ｂ】バッテリー充放電試験機が処理に用いる情報を示す表。
【図３】バッテリー充放電試験機による一連の処理の概要を示すタイムテーブル。
【図４】バッテリー充放電試験機の処理の内容を示す説明図。
【図５】バッテリー充放電試験機による処理の概要を示すタイムテーブル。
【図６】バッテリー充放電試験機の処理の内容を示す説明図。
【図７】バッテリー充放電試験機の認識処理の内容を示すフローチャート。
【発明を実施するための形態】
【００２６】
以下、図面を用いて本発明の実施形態を説明する。まず、図１、図２Ａ及び図２Ｂを用いて、本実施形態のバッテリー充放電試験機の構成の一例について説明する。
【００２７】
本実施形態のバッテリー充放電試験機１０は、計測部１００、第１制御部１１０、第１メモリー１２０、第２制御部１３０、第２メモリー１４０、通信部１５０を備える。
【００２８】
計測部１００は、被測定バッテリー２０の特性を表す特性値を計測するように構成されており、電流センサー１０１、電圧センサー１０２、温度センサー１０３、増幅器１０４、Ａ／Ｄ（Ａｎａｌｏｇ／Ｄｉｇｉｔａｌ）コンバーター１０５、計測バッファー１０６を有する。
【００２９】
電流センサー１０１と、電圧センサー１０２と、温度センサー１０３とは、それぞれ被測定バッテリー２０の電流、電圧、温度を当該被測定バッテリー２０の特性値として測定し、当該特性値を示すアナログ信号を出力する。増幅器１０４は、電流センサー１０１と電圧センサー１０２と温度センサー１０３とが出力した特性値を示すアナログ信号を増幅する。Ａ／Ｄコンバーター１０５は、増幅器１０４が増幅した特性値を示すアナログ信号を、デジタル信号に変換する。計測バッファー１０６は、Ａ／Ｄコンバーター１０５がデジタル信号に変換した被測定バッテリー２０の特性値を示す信号を一時的に蓄積する。
【００３０】
第１制御部１１０は、ＣＰＵ（Ｃｅｎｔｒａｌ  Ｐｒｏｃｅｓｓｉｎｇ  Ｕｎｉｔ）等の演算処理装置などにより構成されており、所定のプログラムを読み込んで実行することにより、充放電制御部１１１、第１記録部１１２として機能する。
【００３１】
充放電制御部１１１は、被測定バッテリー２０の充放電を制御するように構成されており、被測定バッテリー２０の特性値に応じて、一定の試験条件での充放電試験が行われるように、バッテリー充放電試験機１０の動作を制御する。充放電制御部１１１は、サーバー３０からの制御指令を受けてバッテリー充放電試験機１０の動作を制御するように構成されていてもよい。
【００３２】
第１記録部１１２は、被測定バッテリー２０の第１周期ごとの特性値を第１計測データ１２１として第１メモリー１２０に記録する。
【００３３】
第１メモリー１２０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、第１計測データ１２１を記憶している。
【００３４】
第１計測データ１２１は、被測定バッテリー２０の第１周期ごとの特性値が時系列で記憶されているデータであり、図２Ａに示すように計測日時、電圧値、電流値、温度値の情報を含んでいる。
【００３５】
第２制御部１３０は、ＣＰＵ等の演算処理装置などにより構成されており、所定のプログラムを読み込んで実行することにより、第２記録部１３１、認識部１３２、受信部１３３として機能する。
【００３６】
第２記録部１３１は、被測定バッテリー２０の第２周期ごとの特性値を第２計測データ１４１として第２メモリー１４０に、最も古いデータに対して順次上書きしてループ記録する。なお、第２周期は、第１周期よりも短く設定されている。
【００３７】
認識部１３２は、所定の第１条件を満たすこと及び、所定の第２条件を満たすことを認識する。所定の第１条件及び第２条件としては、被測定バッテリー２０の電圧、電流、温度などのそれぞれの特性値又はこれらの特性値を組み合わせた値があらかじめ定められた閾値を越えたか否かなどの種々の条件を採用しうる。受信部１３３は、第２周期を短くするべきことを示す信号を受信する。
【００３８】
第２メモリー１４０は、例えばＲＯＭ、ＲＡＭ、ＨＤＤ等の記憶装置により構成されたリングメモリーであり、直近の所定期間における第２計測データ１４１を記憶している。
【００３９】
第２計測データ１４１は、被測定バッテリー２０の第２周期ごとの特性値が時系列で記憶されているデータであり、図２Ｂに示すように計測日時、電圧値、電流値、温度値の情報を含んでいる。
【００４０】
第２メモリー１４０は、以下に示す計算式（式１）に基づいて計算された総記憶容量を少なくとも有するように構成される。
【００４１】
ＴＭＳ  ＝  ＤＳ×（Ｌｅｎ０／Ｃｙ２ａ＋Ｌｅｎ１／Ｃｙ２ｂ）・・・（１）
なお、
ＴＭＳ：第２メモリーの総容量、
ＤＳ：第２計測データの１回分のデータ容量、
Ｌｅｎ０：通常の第２周期にて第２計測データを記憶する時間の長さ、
Ｌｅｎ１：短くされたの第２周期にて第２計測データを記憶する時間の長さ、
Ｃｙ２ａ：通常の第２周期、
Ｃｙ２ｂ：短くされたの第２周期、
である。このとき、Ｌｅｎ０が第１所定期間であり、Ｌｅｎ１が第２所定期間である。
【００４２】
例えば、第２計測データ１４１の１回分のデータ容量ＤＳが６バイトであり、第１条件を満たすことを認識部１３２が認識する前の通常の第２周期Ｃｙ２ａが１０ミリ秒／回であり、第１条件を満たすことを認識部１３２が認識した後の短くされた第２周期Ｃｙ２ｂが１ミリ秒／回である場合であって、通常の第２周期にて第２計測データ１４１を記憶する時間の長さＬｅｎ０を１分間とし、短くされたの第２周期にて第２計測データ１４１を記憶する時間の長さＬｅｎ１を１分間とする場合の第２メモリー１４０の総容量ＴＭＳは、以下のように計算される。
ＴＭＳ  ＝  ６×（６００００／（１０／１）＋６００００／（１／１））
＝  ６×（６０００＋６００００）
＝  ３９６０００
すなわち、３９６０００バイトの総容量ＴＭＳに対して、通常の第２周期Ｃｙ２ａでの第２計測データ１４１を６０００回、短くされた第２周期Ｃｙ２ｂでの第２計測データ１４１を６００００回、それぞれ記憶することができるように構成される。
【００４３】
また、バッテリー充放電試験機１０は、通常の第２周期にて第２計測データを記憶する時間の長さＬｅｎ０及び短くされたの第２周期にて第２計測データを記憶する時間の長さＬｅｎ１として任意の値を、第２メモリー１４０の総容量ＴＭＳを超えない範囲で設定できるように構成されている。
【００４４】
通信部１５０は、有線の通信ケーブル又はＷｉ−Ｆｉ（登録商標）、Ｂｌｕｅｔｏｏｔｈ（登録商標）若しくは赤外線通信などの無線通信規格に対応した通信方式によりバッテリー充放電試験機１０と通信ネットワーク４０とを接続している。
【００４５】
被測定バッテリー２０は、電気自動車用の車載バッテリー、家庭用蓄電池向けのバッテリー、電動の輸送用機器（カート、フォークリフトなど）、パーソナルコンピューター、携帯電話などの用途に対応した種々のバッテリーであり、例えば鉛蓄電池、ニッカド電池、ニッケル水素電池、リチウムイオン電池、あるいは燃料電池である。なお、被測定バッテリー２０の電解質が液体であるか固体であるかを問わない。
【００４６】
サーバー３０は、ＣＰＵ等の演算処理装置及び、記憶装置などにより構成されるコンピューターである。通信ネットワーク４０は、有線又は無線ネットワークであり、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
＜バッテリー充放電試験機による一連の処理の概要＞
次に、図３を用いて、本実施形態のバッテリー充放電試験機の一連の処理について説明する。図３に示す通り、計測部１００は計測処理（図３／Ｐ１０）を、認識部１３２は認識処理（図３／Ｐ２０）を、充放電制御部１１１は充放電制御処理（図３／Ｐ３０）を、第１記録部１１２は第１記録処理（図３／Ｐ４０）を、第２記録部１３１は第２記録処理（図３／Ｐ５０）を、それぞれ独立して同時並行にて処理を実行する。なお、各処理内容の詳細については後述する。
【００４７】
これら一連の処理は、例えばバッテリー充放電試験機１０に被測定バッテリー２０が接続されたタイミングで、あるいは例えばバッテリー充放電試験機１０の操作者Ｏが処理開始の操作を行ったタイミングで開始され、バッテリー充放電試験機１０から被測定バッテリー２０が取り外されたタイミングで、あるいは例えばバッテリー充放電試験機１０の操作者Ｏが処理終了の操作を行ったタイミングで終了するように構成されている。また、充放電制御処理（図３／Ｐ２０）及び第１記録処理（図３／Ｐ３０）は、第１条件を満たしたタイミングで終了するように構成されている。
【００４８】
図３においては、第１時点Ｔ１にて第１条件を満たした場合のバッテリー充放電試験機の一連の処理の流れを示している。この場合に第１記録部１１２は、第１記録処理の開始から第１時点Ｔ１までは第１周期により第１計測データ１２１を記録する。そして第２記録部１３１は、第２記録処理の開始から第１時点Ｔ１までは通常の第２周期により、第１時点Ｔ１以降は短くされた第２周期により、それぞれ第２計測データ１４１を記録する。
【００４９】
図４は、被測定バッテリー２０の特性値が波形Ｃのように変化した場合の第１記録部１１２及び第２記録部１３１の記録動作を示す説明図である。
【００５０】
この場合に第１記録部１１２は、第１記録処理の開始から第１時点Ｔ１までの期間（Ｌｅｎ０）は第１周期Ｃｙ１にて被測定バッテリー２０の特性値を第１メモリー１２０に第１計測データ１２１として記録する。そして、第１時点Ｔ１において特性値が第１条件の閾値Ｔｓ１を超えたため、第１記録部１１２は第１記録処理を終了している。
【００５１】
第２記録部１３１は、第１記録処理の開始から第１時点Ｔ１までの期間（Ｌｅｎ０）は通常の第２周期Ｃｙ２ａにて、被測定バッテリー２０の特性値を第２メモリー１４０に第２計測データ１４１として記録する。そして、第１時点Ｔ１において特性値が第１条件の閾値Ｔｓ１を超えたため、第１時点Ｔ１以降の期間（Ｌｅｎ１）は、第２記録部１３１は、短くされた第２周期Ｃｙ２ｂにて被測定バッテリー２０の特性値を第２メモリー１４０に第２計測データ１４１として記録する。
【００５２】
また、図５及び図６は、第２時点Ｔ２にて第２条件を満たした場合の第２記録部１３１の処理の流れを示している。
【００５３】
この場合に第２記録部１３１は、第１時点Ｔ１から第２時点Ｔ２までの期間（Ｌｅｎ１’）は、短くされた第２周期Ｃｙ２ｂにて被測定バッテリー２０の特性値を第２メモリー１４０に第２計測データ１４１として記録する。そして、第２時点Ｔ２において特性値が第２条件の閾値Ｔｓ２を超えたため、第２時点Ｔ２以降の期間（Ｌｅｎ２）は、第２記録部１３１は、長くされた第２周期Ｃｙ２ｃにて被測定バッテリー２０の特性値を第２メモリー１４０に第２計測データ１４１として記録する。
【００５４】
このとき、図６における第１時点Ｔ１から第２時点Ｔ２までの期間（Ｌｅｎ１’）と第２時点Ｔ２以降の期間（Ｌｅｎ２）とを足し合わせた期間の長さは、図４における第１時点Ｔ１以降の期間（Ｌｅｎ１）以上の長さとなる。
【００５５】
なお、長くされた第２周期Ｃｙ２ｃは、短くされた第２周期Ｃｙ２ｂよりも長い周期であればよく、例えば通常の第２周期Ｃｙ２ａと同じ長さでもよいし、通常の第２周期Ｃｙ２ａよりも長くともよく、あるいは第１周期Ｃｙ１よりも長くともよい。
【００５６】
また、長くされた第２周期Ｃｙ２ｃは、あらかじめ定められた所定の周期であってもよいし、第１時点Ｔ１から第２時点Ｔ２までの期間（Ｌｅｎ１’）の長さに応じて第２記録部１３１により変更されてもよい。
【００５７】
＜計測処理＞
計測部１００は、計測処理を非常に短い周期（例えば１ミリ秒／回、１０ミリ秒／回など。）で繰り返し実行する。
【００５８】
処理を開始すると計測部１００は、電流センサー１０１、電圧センサー１０２、温度センサー１０３が出力する、被測定バッテリー２０の電流、電圧、温度の特性値の信号を取得し、当該信号を増幅器１０４により増幅し、Ａ／Ｄコンバーター１０５にて当該信号をデジタル信号に変換して計測バッファー１０６に蓄積して処理を終了する。
【００５９】
＜認識処理＞
図７を参照して認識処理の流れについて説明する。なお認識部１３２は、認識処理を計測処理と同じ周期で繰り返し実行する。処理を開始すると認識部１３２は、第２周期が短く変更されているか否かを判定する（図７／ＳＴＥＰ２０１）。
【００６０】
当該判定が否定的である場合（図７／ＳＴＥＰ２０１：Ｎｏ）、認識部１３２は、例えば第１計測バッファー１０６から第１条件を満たすか否かの判定に用いる特性値を取得し（図７／ＳＴＥＰ２０２）、取得した特性値が閾値を超えたか否かを判定する（図７／ＳＴＥＰ２０３）。当該判定が肯定的である場合（図７／ＳＴＥＰ２０３：Ｙｅｓ）、認識部１３２は、第１条件を満たしたと認識し、第２記録部１３１に第２周期を短く変更させて（図７／ＳＴＥＰ２０５）、処理を終了する。
【００６１】
一方当該判定が否定的である場合（図７／ＳＴＥＰ２０３：Ｎｏ）、認識部１３２は、第２周期を短くするべきことを示す信号を受信部１３３が受信したか否かを判定し（図７／ＳＴＥＰ２０４）、当該判定が肯定的である場合（図７／ＳＴＥＰ２０４：Ｙｅｓ）、認識部１３２は、第１条件を満たしたと認識し、第２記録部１３１に第２周期を短く変更させる（図７／ＳＴＥＰ２０５）。そして、認識部１３２は処理を終了する。
【００６２】
一方ＳＴＥＰ２０１の判定が肯定的である場合、（図７／ＳＴＥＰ２０１：Ｙｅｓ）、認識部１３２は、例えば第１計測バッファー１０６から第２条件を満たすか否かの判定に用いる特性値を取得し（図７／ＳＴＥＰ２０６）、取得した特性値が第２条件を満たすか否かを判定する（図７／ＳＴＥＰ２０７）。当該判定が肯定的である場合（図７／ＳＴＥＰ２０７：Ｙｅｓ）、認識部１３２は、第２記録部１３１に第２周期を長く変更させる（図７／ＳＴＥＰ２０６）。そして、認識部１３２は処理を終了する。
【００６３】
＜第２周期を短くするべきことを示す信号の受信＞
受信部１３３は、認識部１３２が認識処理を開始してから、第１条件を満たしたと認識するまでの任意のタイミングで第２周期を短くするべきことを示す信号を受信する。例えば、バッテリー充放電試験機１０又はサーバー３０は第２周期を短くするべきことを示す信号を受信部１３３に送信する操作スイッチを備えており、当該スイッチは操作者等による操作に応じて第２周期を短くするべきことを示す信号を受信部１３３に送信し、受信部１３３は、当該信号を受信する。
【００６４】
＜充放電制御処理＞
充放電制御部１１１は、認識部１３２が第１条件を満たしたことを認識するまで充放電制御処理を計測部１００が計測処理を行う周期より長い周期（例えば１００ミリ秒／回、１秒／回など。）で繰り返し実行する。
【００６５】
処理を開始すると、充放電制御部１１１は、計測バッファー１０６から、被測定バッテリー２０の電流、電圧、温度の特性値の最新の値の情報を取得し、当該取得した特性値に応じて、一定の試験条件での充放電試験が行われるように、バッテリー充放電試験機１０の動作を制御する処理を実行して処理を終了する。
【００６６】
＜第１記録処理＞
第１記録部１１２は、認識部１３２が第１条件を満たしたことを認識するまで第１記録処理を計測部１００が計測処理を行う周期より長い周期（例えば１００ミリ秒／回、１秒／回など。）である第１周期にて繰り返し実行する。
【００６７】
処理を開始すると、第１記録部１１２は、計測バッファー１０６から、被測定バッテリー２０の電流、電圧、温度の特性値の最新の値の情報を取得し、当該取得した特性値の値を第１計測データ１２１として第１メモリー１２０に記憶して処理を終了する。
【００６８】
＜第２記録処理＞
第２記録部１３１は、第２記録処理を計測部１００が計測処理を行う周期よりも短くない周期、かつ第１制御部が第１記録処理を行う周期よりも短い周期である第２周期にて繰り返し実行する。なお、第２記録部１３１は、認識処理（図３／Ｐ２０、図７）の結果に応じて第２周期を変更する。
【００６９】
処理を開始すると、第２記録部１３１は、計測バッファー１０６から、被測定バッテリー２０の電流、電圧、温度の特性値の最新の値の情報を取得し、当該取得した特性値の値を第２計測データ１４１として第２メモリー１４０に記憶して処理を終了する。
【００７０】
以上述べてきたように、本発明のバッテリー充放電試験機によれば、バッテリーの状態について短い周期の測定結果を記録するべき所定の条件を満たす場合において、記憶容量の増大を防止しつつ、バッテリーの状態のデータの測定結果を所定の短い周期で記録することが可能なバッテリー充放電試験機を提供しうる。
【００７１】
以上、本発明の実施形態について説明したが、本発明はこれに限定されない。本発明の趣旨を逸脱しない範囲で、種々の変更が可能である。
【００７２】
例えば第１記録部１１２は、第１計測データ１２１をサーバー３０の記憶装置に記憶するように構成されていてもよい。この場合、当該サーバー３０の記憶装置が第１メモリーとして機能する。
【００７３】
あるいは例えば、第１記録部１１２は、第１周期のｍ倍の長さの周期にてｍ回分の特性値の値を計測バッファー１０６から取得して第１計測データ１２１として第１メモリー１２０に記憶するように構成されていてもよく、第２記録部１３１は、第２周期のｎ倍の長さの周期にてｎ回分の特性値の値を計測バッファー１０６から取得して第２計測データ１４１として第２メモリー１４０に記憶するように構成されていてもよい。
【符号の説明】
【００７４】
１０…バッテリー充放電試験機、２０…被測定バッテリー、１００…計測部、１１０…第１制御部、１１２…第１記録部、１２０…第１メモリー、１３０…第２制御部、１３１…第２記録部、１３２…認識部、１３３…受信部、１４０…第２メモリー。
【図１】
2020085687.tif 000003
【図２Ａ】
2020085687.tif 000004
【図２Ｂ】
2020085687.tif 000005
【図３】
2020085687.tif 000006
【図４】
2020085687.tif 000007
【図５】
2020085687.tif 000008
【図６】
2020085687.tif 000009
【図７】
2020085687.tif 000010